(57)【要約】      （修正有）【課題】狭いバックヤード等の保管場所にも容易に収納、保管でき商品陳列台を提供する。【解決手段】略Ｖ字形に形成した下枠５の両端部に左右の後脚１を夫々固定し、下部台板４とにより構成して、同下部台板４の後部４ｂにより前記各後脚１の下部を連結するとともに、同下部台板４の前部４ａを前記下枠５に回転を可能に取付け、円筒状部１５と水平軸部７とにより同各前脚２を支持し、同円筒状部１５に摺動用レール１４を上部台板３の下面に設け、使用時に前記円筒状部１５の上半部に対して上方から嵌合する半円状切欠部１７を前記摺動用レール１４の後部に設け、折り畳み時に前記円筒状部１５に当接するストッパ１８を前記上部台板３の前後方向中間部下面に設け、前記各前脚２の下部を連結部材２２により連結するともに、同連結部材２２の嵌合する凹溝４ａ１を前記下部台板４に設け、前記下枠５の前部と前記各後脚１にキヤスター２６を取付けてる。【選択図】    図１
2004313665.tif 000002
【特許請求の範囲】
【請求項１】
略Ｖ字形に形成した下枠の両端部に左右の後脚を夫々固定し、下部台板を前部と後部とにより構成して、同下部台板の後部により前記各後脚の下部を連結するとともに、同下部台板の前部を前記下枠に上方への回転を可能に取付け、左右の前脚の上端部にＴ字状に固定した円筒状部と上部台板の左右両側部前端に設けた水平軸部とにより同各前脚を起伏可能に支持し、同円筒状部の上面に摺動自在に接触する摺動用レールを上部台板の下面に設け、陳列台としての使用時に前記円筒状部の上半部に対して上方から嵌合する半円状切欠部を前記摺動用レールの後部に設け、陳列台の折り畳み時に前記円筒状部に当接するストッパを前記上部台板の前後方向中間部下面に設け、前記各前脚の下部を連結部材により連結するともに、同連結部材の嵌合する凹溝を前記下部台板の前部に設け、前記下枠の前部と前記各後脚の下端部とにキヤスターを取付けたことを特徴とする商品陳列台。
【請求項２】
前記前脚及び後脚を、伸縮可能な上下部により構成し、脚上部の外面に操作レバーを設け、同操作レバーの先端部に設けた突起の係合する高さ調節孔を脚下部の上下方向所定間隔位置に設けた請求項１記載の商品陳列台。
【請求項３】
前記後脚の上端部にＴ字状に固定した円筒状部の外端部に円板状ガイド部を設け、同ガイド部を案内するガイドレールを前記上部台板の左右両側部下面に設けた請求項１記載の陳列用台板。
【発明の詳細な説明】
【０００１】
【発明の属する技術分野】
本発明は、スーパーマーケット等において使用される商品陳列台に関するものである。
【０００２】
【従来の技術】
スーパーマーケットの売場において、商品を棚に陳列せずに、床面に置いた平台の上にバラ積み、箱入りの状態で大量に陳列する場合があるが、この場合、通常は、恒久的な売場構成ではなく、一定期間陳列したのち、撤去し、暫くしたら同じ方法で陳列するという売場構成の繰り返しである。特売などのときには数時間で撤去する場合もある。
この陳列用平台の従来例を図１８（ａ）〜（ｃ）により説明すると、０１が天板、０２、０２が天板０１の左右両側部下面に枢支した脚板、０３が天板０１の後部下面に枢支した後板で、（ａ）の状態で使用し、陳列期間が終了したら、（ｂ）の状態に仰向けにして、脚板０２及び後板０３を矢印方向に折り畳み、（Ｃ）状態に積み重ねて、バックヤードなどに収納、保管する。
【０００３】
【発明が解決しようとする課題】
前記従来の陳列用平台は、（ｂ）の状態に折り畳み、（ｃ）状態に積み重ねて、バックヤードなどに収納、保管するので、収納、保管にかなりの手間と面積を必要とするという問題があった。
【０００４】
本発明は前記の問題点に対処するもので、その目的とする処は、▲１▼狭いバックヤード等の保管場所にも容易に収納、保管でき、▲２▼上部台板の高さを変更したり、傾斜させたりする作業を容易に行うことができ、▲３▼折り畳み時及び展開時に上部台板を円滑に昇降させることができる商品陳列台を提供する点にある。
【０００５】
【課題を解決するための手段】
前記の目的を達成するために、本発明の商品陳列台は、略Ｖ字形に形成した下枠の両端部に左右の後脚を夫々固定し、下部台板を前部と後部とにより構成して、同下部台板の後部により前記各後脚の下部を連結するとともに、同下部台板の前部を前記下枠に上方への回転を可能に取付け、左右の前脚の上端部にＴ字状に固定した円筒状部と上部台板の左右両側部前端に設けた水平軸部とにより同各前脚を起伏可能に支持し、同円筒状部の上面に摺動自在に接触する摺動用レールを上部台板の下面に設け、陳列台としての使用時に前記円筒状部の上半部に対して上方から嵌合する半円状切欠部を前記摺動用レールの後部に設け、陳列台の折り畳み時に前記円筒状部に当接するストッパを前記上部台板の前後方向中間部下面に設け、前記各前脚の下部を連結部材により連結するともに、同連結部材の嵌合する凹溝を前記下部台板の前部に設け、前記下枠の前部と前記各後脚の下端部とにキヤスターを取付けたことを特徴としている（請求項１）。
【０００６】
また前記請求項１記載の商品陳列台において、前脚及び後脚を伸縮可能な上下部により構成し、脚上部の外面に操作レバーを設け、同操作レバーの先端部に設けた突起の係合する高さ調節孔を脚下部の上下方向所定間隔位置に設けている（請求項２）
【０００７】
また前記請求項１記載の商品陳列台において、後脚の上端部にＴ字状に固定した円筒状部の外端部に円板状ガイド部を設け、同ガイド部を案内するガイドレールを前記上部台板の左右両側部下面に設けている（請求項３）。
【０００８】
【発明の実施の形態】
次に本発明の商品陳列台を図１〜図１７に示す一実施例により説明する。
図１〜図１０の１が左右一対の後脚、２が左右一対の前脚、３が上部台板、４が下部台板、５が略Ｖ字形に形成した下枠、６が上部台板３の四周部に設けた複数の転落防止柵取付孔である。
前記各後脚１は、筒状の後脚上部１ａと、同後脚上部１ａに摺動可能に嵌挿した筒状の後脚下部１ｂとにより構成され、前記各前脚２も同様に上部２ａと下部２ｂとにより構成されている。
【０００９】
図５、図８の１０が上部台板３の左右側縁下部に固定したガイドレール、１０ａが同各ガイドレール１０の前部で、同前部１０ａにボルト８を介して水平軸部（丸ナット）が固定されている。
また図２の９が左右の前脚上部２ａの上端部に固定した円筒体で、各前脚２の円筒体９が図２に示すように連結部材（連結用筒体）９ａを介して固定され、各前脚２が円筒体９と水平軸部７とにより上部台板３の前部に起伏可能に支持されている。
【００１０】
前記前脚２は、高さ調節機構１１を持っている。この高さ調節機構１１は、図５に示すように前脚上部２ａに固定したブラケット１２ａ、１２ａと、同各ブラケット１２ａ間に軸支した高さ調節用操作レバー１２ｂと、同操作レバー１２ｂの先端部に設けた突起１２ｂ１と、同操作レバー１２ｂを係合方向に付勢するＶ字形のばね１２ｃと、前脚下部２ｂの上下方向所定間隔位置に穿設した複数個の係合孔１３ａ、１３ｂ、１３ｃとにより構成され、突起１２ｂ１が係合孔１３ａに係合している図５（ａ）の状態から、操作レバー１２ｂをばね１２ｃに抗し図５（ｂ）の矢印Ａ方向に押して、突起１２ｂ１を係合孔１３ａから外し、上部台板３及び前脚上部２ａを下降させて、突起１２ｂ１を他の係合孔例えば１３ｂに対向させ、矢印方向Ａへの押圧力を解除して、操作レバー１２ｂをばね１２ｃにより係合方向に回動し、突起１２ｂ１を係合孔１３ｂに係合させて、前脚２、２の高さを調節する。この高さ調節機構１１は、後脚１、１にもあり、同じように構成されている。
【００１１】
図７、図８の１４が前記上部台板３の左右両側部下面に設けた摺動用レール、図３、図７、図８の１５が左右の後脚上部１ａの上端部にＴ字状に固定した円筒状部、図３の１６が左右の円筒状部１５を固定する連結部材（連結用筒体）、１５ａが各円筒状部１５の外端に固定した円板状ガイド部で、円筒状部１５の上面が摺動用レール１４の下縁部に常時接触し、円板状ガイド部１５ａが上部台板３の左右両縁下部に設けたガイドレール１０内に位置している。
【００１２】
図７の１７が摺動用レール１４の後部に設けた半円状切欠部で、同半円状切欠部１７が円筒状部１５の上半部へ上方から嵌合する。また図７、図８、図１３、図１５の１８が上部台板３の前後方向中間部の下面に設けたストッパである。
前記下部台板４は、前部４ａと後部ｂとにより構成され、後部４ｂは図１、図９、図１０に示すように前記各後脚１の下部１ｂに固定されている。
また図４、図９、図１０の１９が前記前部４ａを前記下枠５に枢支する蝶番部で、同蝶番部１９は、下枠５に固定した水平軸部２０と、同軸部２０に係合した前部４ａ側の鉤状部２１とにより構成され、同蝶番部１９が下部台板４の前部４ａを上方への回転を可能に支持している。なお同前部４ａは前部４ａの下面に固定した桟状部材２２を介し下枠５に接触して、水平状態に保持される。
【００１３】
図６の４ａ１が前記下部台板４の前部４ａに設けた凹溝、２２が前記前脚下部２ｂ、２ｂの下部を連結する連結部材（連結用筒体）で、同連結部材２２が前記凹溝４ａ１に嵌合して、陳列台としての使用時に前脚２、２を垂直状態に保持する。
図１６の２４が転落防止柵で、同転落防止柵２４の脚部２４ａが上部台板３及び下部台板４の四周部に設けた転落防止柵取付孔６に係合して、上部台板３及び下部台板４に載せた商品の転落を防止する。
２５が上部台板３及び下部台板４の複数箇所に取付けた滑り止めゴム片、２６が前記下枠５の前部２箇所と前記各後脚下部１ｂの下端部とに取付けたキヤスターである。
【００１４】
次に前記商品陳列台の作用を説明する。
（１）図１１（ａ）は商品陳列時の状態を示している。
（２）この状態から、商品陳列台を収納、保管する場合には、上部台板３の前部を上方に持ち上げる（図１１（ｂ）、図１２参照）。そうすると、上部台板３が各後脚１の円筒状部１５及び水平軸部７を中心に上方に回転する（図７（ａ）参照）。
【００１５】
（３）ある角度以上回転すると、摺動用レール１４の半円状切欠部１７が円筒状部１５から外れ（図７（ｂ）参照）、それからは摺動用レール１４が円筒状部１５の上を滑りながら、上部台板３が図１１（ｃ）の矢印方向に下降し、ストッパ１８が円筒状部１５に衝接して、上部台板３が後脚１に沿った垂直状態に保持される（図１１（ｄ）及び図１３参照）。
【００１６】
（４）その際、上部台板３のガイドレール１０と後脚１の上端部に設けた円板状ガイド部１５ａとが上部台板３を左右に振れないようガイドする。また前脚２が水平軸部７を中心に回転して前脚２が垂直状態に保持される（図１１（ａ）〜（ｄ）参照）。
【００１７】
（５）次いで下部台板４の前部４ａを矢印方向に持ち上げ（図１１（ｅ）参照）、下部台板４の前部４ａを前脚２、２に凭れ掛ける（図１１（ｆ）及び図１４参照）。
【００１８】
（６）以上で折り畳み作業を完了し、商品陳列台をバックヤードに移動させ、各商品陳列台の全体を前後方向に重ね合わせて、収納、保管する（図１１（ｇ）及び図１５参照）。
【００１９】
（７）またバックヤードから引出して、前記と逆の要領で使用状態とし、上部台板３及び下部台板４に商品（図示せず）を載せて、陳列する。その際、必要に応じ転落防止柵２４の脚部２４ａを転落防止柵取付孔６に係合して（図１６参照）、上部台板３及び下部台板４上の商品の転落を防止する。
【００２０】
（８）また高さ調節機構１１を操作して、各後脚１の高さを各前脚よりも高くし、上部台板３を前傾の状態にして、上部台板３の上に載せた商品を買い物客に見やすくする（図１７参照）。
【００２１】
【発明の効果】
本発明の商品陳列器具は前記のように商品を上部台板及び下部台板に載せた商品陳列状態から、上部台板の前部を上方に持ち上げて、各後脚の円筒状部及び水平軸部を中心に上方へ回転させる。ある角度以上回転すると、上部台板側の摺動用レールの半円状切欠部が後脚上端部の円筒状部から外れ、それからは摺動用レール及び下部台板が同円筒状部の上を滑りながら上部台板が下降し、上部台板のストッパが後脚の円筒状部に衝接して、上部台板が後脚に沿った垂直状態となり、前脚も前記動きに連れて垂直状態となる。そうしたら下部台板の前部を持ち上げ、同前部を各前脚に凭れ掛けて、商品陳列台の全体を折り畳み、バックヤードなどに移動して、各商品陳列台の全体を前後方向に重ね合わせるので、狭いバックヤード等の保管場所にも容易に収納、保管できる。
【００２２】
また操作レバーを押して、操作レバーの突起を脚下部に設けた係合孔から引き抜き、上部台板及び脚上部を昇降させて、操作レバーの突起を他の係合孔に対向させ、操作レバーに加えていた押圧力を解除して、操作レバーを係合方向に回動し、操作レバーの突起を次の係合孔に係合させて、前脚及び後脚の高さを調節するので、上部台板の高さを変更したり、傾斜させたりするときの作業を容易に行うことができる。
【００２３】
また上部台板を昇降させるとき、上部台板のガイドレールと後脚の上端部に設けた円板状ガイド部とにより上部台板を左右に振れないようガイドするので、商品陳列台の折り畳み時及び展開時に上部台板を円滑に昇降させることができる。
【図面の簡単な説明】
【図１】本発明の商品陳列台の一実施例を示す斜視図である。
【図２】（ａ）は同商品陳列台の正面図、（ｂ）は前脚上部の斜視図である。
【図３】（ａ）は同商品陳列台の背面図、（ｂ）は後脚上部の斜視図である。
【図４】同商品陳列台具の底面図である。
【図５】（ａ）は前脚の上部及び前脚の高さ調節機構の縦断側面図、（ｂ）は高さ調節機構の操作レバー解除状態を示す縦断側面図、（ｃ）は同部分の正面図、（ｄ）はガイドレールの斜視図である
【図６】（ａ）は下部台板の前部の一部を示す平面図、（ｂ）は同部分の縦断側面図、（ｃ）は同部分の縦断正面図である。
【図７】（ａ）〜（ｃ）は後脚上部及び上部台板の作用説明図である。
【図８】（ａ）は後脚上部及び上部台板の縦断正面図、（ｂ）は摺動用レールの斜視図である。
【図９】下部台板の前部の水平支持状態を示す縦断側面図である。
【図１０】下部台板の前部の上方への回転状態を示す縦断側面図である。
【図１１】（ａ）〜（ｇ）は本商品陳列台の格納時の作用説明図である。
【図１２】上部台板の上方への回転状態を示す斜視図である。
【図１３】折り畳みの中間状態を示す斜視図である。
【図１４】折り畳みの完了状態を示す斜視図である。
【図１５】バックヤードなどでの収納、保管状態を示す斜視図である。
【図１６】（ａ）〜（ｃ）は転落防止柵を示す斜視図である。
【図１７】同商品陳列台の傾斜状態を示す斜視図である。
【図１８】（ａ）〜（ｃ）は従来の商品陳列台を示す斜視図である。
【符号の説明】
１          後脚
１ａ          〃の上部
１ｂ          〃の下部
２          前脚
２ａ          〃の上部
２ｂ          〃の下部
３          上部台板
４          下部台板
４ａ          〃    の前部
４ａ１        〃    の前部に設けた凹溝
４ｂ          〃    の後部
５          下枠
７          水平軸部
１４        上部台板３に設けた摺動用レール
１５        後脚１に設けた円筒状部
１７        摺動用レール１４に設けた半円状切欠部
１８        上部台板３のストッパ
２２        連結部材
２６        キヤスター
【図１】
2004313665.tif 000003
【図２】
2004313665.tif 000004
【図３】
2004313665.tif 000005
【図４】
2004313665.tif 000006
【図５】
2004313665.tif 000007
【図６】
2004313665.tif 000008
【図７】
2004313665.tif 000009
【図８】
2004313665.tif 000010
【図９】
2004313665.tif 000011
【図１０】
2004313665.tif 000012
【図１１】
2004313665.tif 000013
【図１２】
2004313665.tif 000014
【図１３】
2004313665.tif 000015
【図１４】
2004313665.tif 000016
【図１５】
2004313665.tif 000017
【図１６】
2004313665.tif 000018
【図１７】
2004313665.tif 000019
【図１８】
2004313665.tif 000020